(57)【特許請求の範囲】
【請求項１】
左右同形の枠体が複数本の水平方向の桟材で接続されてラック本体が組み立てられ、該枠体の上部枠材が後方が高く前方が低く傾斜され、水平方向の桟材にメッシュ製棚板が支持されてなる布団ラック。
【請求項２】
左右同形の枠体にシートが張設されてなる請求項１記載の布団ラック。
【請求項３】
シートがキャンバス地で作成されてなる請求項１又は請求項２記載の布団ラック。
【請求項４】
左右同形の枠体の下部にキャスターあるいはアジャスターが着脱自在に取着されてなる請求項１ないし請求項３のいずれか一項に記載の布団ラック。
【請求項５】
左右同形の枠体を接続する水平方向の桟材が後方には上下に２本差し渡され、前方には１本が差し渡され、前方の桟材が後方の上下の桟材に相対するごとく、上下に付け替え可能となされた請求項１ないし請求項４のいずれか一項に記載の布団ラック。
【請求項６】
左右同形の枠体を接続する水平方向の桟材が大径のパイプ材の一端に小径のパイプ材の一端が挿入されて伸縮可能となされた請求項１ないし請求項５のいずれか一項に記載の布団ラック。
【請求項７】
メッシュ製棚板の前後の縁に係止部が形成され、該係止部が水平方向の桟材に係止されてメッシュ製棚板が着脱自在に載置されるようになされた請求項１ないし請求項６のいずれか一項に記載の布団ラック。
【請求項８】
メッシュ製棚板が左右に複数の小割り棚材に分割されてなる請求項１ないし請求項７のいずれか一項に記載の布団ラック。
【請求項９】
メッシュ製棚板の前方の係止部が把手を兼ねるようになされた請求項１ないし請求項８のいずれか一項に記載の布団ラック。
【発明の詳細な説明】
【０００１】
【発明の属する技術分野】
本発明は、押入れでの布団の収納を容易に行うことのできる布団ラックに関する。
【０００２】
【従来の技術】
従来、押入れ等で使用される布団ラックとして、通常左右同形の枠体が複数本の水平方向の桟材で接続されてラック本体が組み立てられ、水平方向の桟材に着脱自在にメッシュ製棚板が載置されてなるものが提案されている。
【０００３】
【発明が解決しようとする課題】
しかしながらかかる従来の押入れ用布団ラックは、いずれも一長一短がある。
例えば、左右同形の枠体の上端部が水平となされており、該布団ラックを布団ごと押入れに出し入れする際に該枠体の上端部が持ちにくいという欠点がある。また、水平方向の桟材の長さが一定のため、押入れ内での収まりが悪いという欠点もある。さらにメッシュ製棚板の幅も一定のため、小回りがきかないという欠点もある。
【０００４】
本発明はかかる従来の問題点を解消し、押入れ等で使いやすい布団ラックを提供するものである。
【０００５】
【課題を解決するための手段】
上記課題を解決するため、本発明布団ラックは、左右同形の枠体が複数本の水平方向の桟材で接続されてラック本体が組み立てられ、該枠体の上部枠材が後方が高く前方が低く傾斜され、水平方向の桟材にメッシュ製棚板が支持されてなるものである。
【０００６】
また、好ましくは本発明布団ラックは、左右同形の枠体にキャンバス地等で作成されたシートが張設されてなるものである。
【０００７】
さらに、好ましくは本発明布団ラックは、左右同形の枠体の下部にキャスターあるいはアジャスターが着脱自在に取着されてなるものである。
【０００８】
さらに、好ましくは本発明布団ラックは、左右同形の枠体を接続する水平方向の桟材が後方には上下に２本差し渡され、前方には１本が差し渡され、前方の桟材が後方の上下の桟材に相対するごとく、上下に付け替え可能となされたものである。
【０００９】
さらに、好ましくは本発明布団ラックは、左右同形の枠体を接続する水平方向の桟材が大径のパイプ材の一端に小径のパイプ材の一端が挿入されて伸縮可能となされたものである。
【００１０】
さらに、好ましくは本発明布団ラックは、メッシュ製棚板の前後の縁に係止部が形成され、該係止部が水平方向の桟材に係止されてメッシュ製棚板が着脱自在に載置されるようになされたものである。
【００１１】
さらに、好ましくは本発明布団ラックは、メッシュ製棚板が左右に複数の小割り棚材に分割されてなるものである。
【００１２】
さらに、好ましくは本発明布団ラックは、メッシュ製棚板の前方の係止部が把手を兼ねるようになされたものである。
【００１３】
【発明の実施の形態】
以下、図面を参照しながら本発明の実施形態について説明する。
図１において１は枠体、２はシート、３は水平方向の桟材、４はメッシュ製棚板である。
【００１４】
枠体１は左右同形状であって前後の支柱１１、１２と、上部枠材１３とからなる。該枠体１は通常一本の金属製パイプが曲げ加工されて一体化されたものが好適に使用されるが、支柱１１、１２、上部枠材１３が継手で接続されてもよい。また、パイプ以外にアングル材やチャンネル材であってもよいし、金属以外にプラスチックや木製であってもよい。また前方の支柱１１は後方の支柱１２より低くなされ、上部枠材１３は前方が低くなるよう傾斜される。
また枠体１には前後の支柱１１、１２間に二本の桟１４、１５が等間隔に差し渡されている。該桟１４、１５は枠体１の補強とともにシート２の支持材として機能している。
【００１５】
シート２は本発明布団ラックに布団を載置した際に、該ラックから布団の端がはみ出ないようにするものであって、布団を傷めないような素材からなり、キャンバス地が好適に用いられるが、合成樹脂製のフィルム、ネット等であってもよい。しかして該シート２は上下の縁部に筒状部２１が形成され、該筒状部２１に前述の桟１４、１５が挿通自在となされ、該桟１４、１５によりシート２が枠体１に張設されている。
【００１６】
キャスター１６は支柱１１、１２の下端に取着されたものであって、主として押入れの下の段に布団ラックを出し入れするのに都合がよい。また、アジャスター１６’は主として押入れの上の段に布団ラックを収納する場合に使用される。支柱１１、１２の下端にキャスター１６が取着された場合、押入れから布団ラックを室内に引出して楽な姿勢の状態で布団の積み降ろしができるとともに、布団をのせたままで運搬することができ、例えば別の押入れやクロゼットへ移し代えたり、布団を干すために縁側やベランダ等へ運び、かつ該布団ラックの上に布団を広げて干せばよい。また、アジャスター１６’が取着された場合、主として押入れの上の段で使用されるのであるが、該アジャスター１６’にビス孔が穿設されていると押入れの床にビス止めでき、布団ラックの転落が避けられて安全である。
【００１７】
水平方向の桟材３は、左右の枠体１、１を接続するものであって、水平方向の桟材が後方には上下に２本差し渡され、前方には１本が差し渡されている。また、前方の桟材３は後方の上下の桟材３に相対するごとく、上下に付け替え可能となされており、後方の上下いずれかの桟材３と前方の桟材３とが水平となされたものである。したがって前方の支柱１１には上下二箇所に桟材３の取付孔が穿設されているのがよい。さらに該水平方向の桟材３は、大径のパイプ材３１の一端に小径のパイプ材３２の一端が挿入されて伸縮可能となされている。この場合大径のパイプ材３１を長くし、押入れ等の間口や横幅に応じて調整できる範囲で小径のパイプ材３２が挿入されているのが好ましい。さらにまた、該桟材３は合成樹脂、金属、合成樹脂被覆金属等から作製されている。
【００１８】
メッシュ製棚板４は前後の水平方向の桟材３間に載置されるものであって、該メッシュ製棚板４の奥行き方向の寸法は前後の水平方向の桟材３間の寸法とほぼ等しくなされている。またメッシュ製棚板４の幅方向の寸法は水平方向の桟材３を最短寸法に縮めた際の寸法を複数に小割りした寸法となされている。また該棚板の前後の縁に大径のパイプ材３１に係止される係止部４１が形成されている。係止部４１の形状としては図１、図２のごとく該棚板４の前後の縁が下方に折り返されただけでもよいし、図３のごとく、大径のパイプ材３１の外周に沿うよう断面半円形に湾曲されたものでもよい。また、前方の係止部４１の縁部が水平方向の桟材３より下方にまで延設されていると、この部分を把手として布団ラックを出し入れでき好ましい。さらに該メッシュ製棚板４は金属線材で作製されるのがよいが、細径のパイプ材の他多数の孔のある合成樹脂板等が使用されてもよい。また、前後の桟材３間にメッシュ製棚板４の横幅とほぼ等しい幅のレール材を設け、該レール材上にメッシュ製棚板４を載置し、メッシュ製棚板４のみ前方へ引出し自在としてもよい。
【００１９】
本発明布団ラックは上記したような構造であるから、押入れで好適に使用される他、クロゼット、物置等においても使用することができる。また、流通段階において、ばらしてほぼ枠体の大きさの包装箱に納めることにより、コンパクト化できる。
【００２０】
【発明の効果】
以上詳述したごとく本発明布団ラックは、左右同形の枠体が複数本の水平方向の桟材で接続されてラック本体が組み立てられ、該枠体の上部枠材が後方が高く前方が低く傾斜されているので、傾斜した上部枠材を持つことにより、押入れの棚や鴨居に手が触れがたく出し入れが容易である。
【００２１】
また本発明布団ラックは、左右同形の枠体にキャンバス地等で作成されたシートが張設されているので、布団の端がはみ出さず、布団ラックに布団を載置した状態で該布団ラックを押入れに対し、出し入れしても布団が汚れるおそれがない。
【００２２】
さらに本発明布団ラックは、左右同形の枠体の下部にキャスターあるいはアジャスターが着脱自在に取着されるので、押入れの上の段、下の段で使い分けすることにより、使用場所に適した形態とすることができるとともに、キャスターを取り付けた場合、別の押入れやクロゼットへ移し代えたり、布団をのせたままで縁側やベランダ等へ運び、かつ該布団ラックの上に布団を広げ、干すことができる。
【００２３】
さらにまた本発明布団ラックは、左右同形の枠体を接続する水平方向の桟材が後方には上下に２本差し渡され、前方には１本が差し渡され、前方の桟材が後方の上下の桟材に相対するごとく、上下に付け替え可能となされているので、前方の桟材を後方の上方の桟材に相対するごとく設置すると、メッシュ製棚板の位置が高くなり、該棚板と押入れの床との間に間隙ができ、枕等の寝具類を保管するスペースができるとともに、前方の桟材を後方の下方の桟材に相対するごとく設置すると、該布団ラックに多数の布団を載置する事ができる等、用途に応じて種々の使い方ができ、好ましい。
【００２４】
さらにまた本発明布団ラックは、左右同形の枠体を接続する水平方向の桟材が大径のパイプ材の一端に小径のパイプ材の一端が挿入されて伸縮可能となされているので、押入れ等の間口や幅に応じて布団ラックの横幅を適宜伸縮させることにより、押入れ内のスペースを有効に使用できる。
【００２５】
さらにまた本発明布団ラックは、左右同形の枠体が複数本の水平方向の桟材で接続されてラック本体が組み立てられ、該水平方向の桟材に着脱自在にメッシュ製棚板が載置されているので、該メッシュ製棚板の上に布団を畳んで載置しても通気性がよい。
【００２６】
さらにまた本発明布団ラックは、メッシュ製棚板が左右に複数の小割り棚材に分割されてなるので、該布団ラックをの横幅を適宜伸縮させても該小割り棚材を別個にずらせることができ、布団を偏りなく支えることができる。
【００２７】
さらにまた本発明布団ラックは、メッシュ製棚板の前後の縁が下方に折り返されて係止部となされるとともに、前方の係止部が把手を兼ねているので、該把手部を持って布団ラックを前後に移動させることができ、使い勝手がよい。
【図面の簡単な説明】
【図１】本発明布団ラックの前方の桟材を後方の上方の桟材に相対するごとく設置した状態を示す斜視図である。
【図２】本発明布団ラックの前方の桟材を後方の下方の桟材に相対するごとく設置した状態を示す斜視図である。
【図３】本発明布団ラックに使用されるメッシュ製棚板の一例を示す斜視図である。
【符号の説明】
１          枠体
１１          前支柱
１２          後支柱
１３          上部枠材
１４、１５    桟
１６          キャスター
１６’        アジャスター
２          シート
２１          筒状部
３          桟材
３１          大径パイプ材
３２          小径パイプ材
４          メッシュ製棚板
４１          係止部
【図１】
0003540523.tif 000002
【図２】
0003540523.tif 000003
【図３】
0003540523.tif 000004